(57)【特許請求の範囲】
【請求項１】
脚部を有する台板の上に外箱を具え、これらの内部に、洗濯槽と、これの内部で洗濯をする洗濯機構、及び洗濯槽内の水を機外に排出する排水ホースを設けたものにおいて、
前記台板の側部の外側から前部の内側にかけて連続状に、前記排水ホースを収納することが可能な排水ホース収納部を形成し、
その前部の排水ホース収納部を、上方に開放する溝状に形成すると共に、その開放側の端部を曲面状に形成し、且つねじによる外箱との結合に供する台板の前部のねじ挿通孔より前部の排水ホース収納部側に、挿通した前記ねじより高さの大きなリブを形成し、このリブの上端部も曲面状に形成したことを特徴とする洗濯機。
【発明の詳細な説明】
【０００１】
【発明の属する技術分野】
本発明は、包装時における排水ホースの取り回し構造を改良した洗濯機に関する。
【０００２】
【従来の技術】
従来より、洗濯機においては、洗濯槽からの排水をする排水ホースを、一般に、機内側部分から機外側部分まで１本で構成し、その機内側部分を機内に残し、機外側部分を外箱の外側面に添わせる形態で、包装をしていた。
しかしながら、このものでは、排水ホースの機外側部分が機外に突出して位置し、その分、包装体積が大きくなり、包装材料を多く必要とする。このため、包装費用が高くつき、又、解包後の廃棄物も多くなってしまっていた。更に、この場合、包装体積が大きくなった分、輸送費用や保管費用等まで高くついていた。
【０００３】
これに対して、排水ホースの機内側部分と機外側部分とを別々に構成し、その機内側部分を機内に残し、機外側部分を機内側部分から外して洗濯槽内など機内に収めて、包装をするものが供されている。
又、機内側部分から機外側部分まで１本で構成した排水ホースを、全部、台板の内側に収めて、包装をするものも供されている。
これらのものによると、排水ホースの全部が機内に位置する分、包装体積を小さくでき、包装材料を多く必要とすることがない。よって、包装費用を安くでき、解包後の廃棄物も少なくできるし、輸送費用や保管費用等も安くできる。
【０００４】
【発明が解決しようとする課題】
しかしながら、上述のうち、排水ホースの機外側部分を機内側部分から外して機内に収め包装をするものでは、排水ホースの機内側部分と機外側部分とを別々に構成する分、排水ホースがコスト高となり、ひいては洗濯機全体がコスト高となっていた。しかも、この場合、使用時には、排水ホースの機外側部分を機内から取出して、機内側部分に接続する手間が必要であった。
【０００５】
又、機内側部分から機外側部分まで１本で構成した排水ホースを、全部、台板の内側に収めて包装をするものでは、排水ホースがコスト高となることはないが、使用時に、洗濯機の全体を傾け、台板の下方から内側に手を差し入れて、排水ホースの機外側部分を取出すという作業が必要があり、それに手間がかかっていた。
【０００６】
本発明は上述の事情に鑑みてなされたものであり、従ってその目的は、主として、包装費用を安くでき、解包後の廃棄物も少なくできると共に、輸送費用や保管費用等も安くできる上、排水ホース自体、コスト安にでき、且つ使用時の手間がかからない、排水ホースの取り回しができる洗濯機を提供するにある。
【０００７】
【課題を解決するための手段】
上記目的を達成するために、本発明の洗濯機においては、
脚部を有する台板の上に外箱を具え、これらの内部に、洗濯槽と、これの内部で洗濯をする洗濯機構、及び洗濯槽内の水を機外に排出する排水ホースを設けたものにおいて、
前記台板の側部の外側から前部の内側にかけて連続状に、前記排水ホースを収納することが可能な排水ホース収納部を形成し、その前部の排水ホース収納部を、上方に開放する溝状に形成すると共に、その開放側の端部を曲面状に形成し、且つねじによる外箱との結合に供する台板の前部のねじ挿通孔より前部の排水ホース収納部側に、挿通した前記ねじより高さの大きなリブを形成し、このリブの上端部も曲面状に形成したことを特徴とする。
【０００８】
このものによれば、排水ホースを排水ホース収納部に収納して包装することにより、包装体積を小さくでき、包装材料を多く必要とすることがない。又、排水ホースはその全部を１本で構成でき、使用時には、それを逐一接続するまでもなく、且つ、洗濯機の全体を傾けるまでもなく、排水ホースを排水ホース収納部から取出すだけで良い。
【０００９】
加えて、排水ホース収納部が台板の側部の外側から前部の内側にかけて連続することにより、側部の排水ホース収納部から前部の排水ホース収納部への排水ホースの挿通が容易にでき、そのほか、前部の排水ホース収納部に収納された排水ホースの部分は、機内に位置することにより、外力に対する保護がより確実にできる。
しかも、前部の排水ホース収納部に対する排水ホースの収納が、その前部の排水ホース収納部の開放した上側部から容易にでき、且つ、その前部の排水ホース収納部に収納した排水ホースの落ち止めが別部材を必要とすることなくできる。
更に、前部の排水ホース収納部の開放側の端部、及びリブの上端部による、排水ホースの破損が防止される。又、外箱と台板とを結合するねじによる、排水ホースの破損も防止され、更に、外箱の端部による、排水ホースの破損も防止される。
【００１９】
【発明の実施の形態】
以下、本発明の一実施例につき、図１ないし図１１を参照して説明する。
まず、図３には、洗濯機、中でも全自動式の脱水兼用洗濯機の全体構成を示しており、脚部１を有する台板２と、この台板２上に載置結合した例えば金属板製の外箱３、及びこの外箱３上に載置結合したトップカバー４とにより、筐体５を構成している。
【００２０】
筐体５の内部、特に外箱３の内部には、外槽６を、複数本（１本のみ図示）の吊り棒７を主体とする弾性支持機構８により支持して配設しており、外槽６の内部には内槽９を配設している。内槽９は、洗濯槽として機能すると共に、脱水槽としても機能するもので、上端部に脱水孔１０を有し、これにより若干内側に内バスケット１１を設けると共に、例えば液体封入形の回転バランサ１２を設けている。
【００２１】
内バスケット１１は、詳しくは図示しないが全体に多孔状を成すもので、下端部は内槽９の底部近くに位置し、これが、該内槽９の底部上に配設した底カバー１３と重なり合っている。又、その底カバー１３の内方には洗濯用の撹拌体１４を配設しており、この撹拌体１４を洗濯時に時計回りと反時計回りの正逆両方向に回転させるモータ１５を、外槽６の外下方部に配設している。
【００２２】
ここで、洗濯時に上述のごとく撹拌体１４が回転されれば、必要水量が供給された内槽９内には、その回転に応じた水流が生成され、この水流によって図示しない洗濯物の洗濯が行われるものであり、従って、撹拌体１４とモータ１５は、その洗濯をする洗濯機構１６を構成している。
【００２３】
モータ１５は、詳細には、例えばアウターロータ形のブラシレスモータから成るもので、脱水時には上記撹拌体１４と共に内槽９を一方向に高速回転させるようになっており、それによって、上記内バスケット１１から脱水孔１０を通しての遠心脱水を行うようになっている。なお、モータ１５は、洗濯時に内槽９を制止する機構を内蔵している。又、この場合、モータ１５は、撹拌体１４及び内槽９を直接回転駆動（ダイレクトドライブ）するものであるが、これに限られず、ベルト伝動機構など適宜の伝動機構を介して間接的にそれらを回転駆動するものであっても良い。
【００２４】
このほか、外槽６の外側部にはエアトラップ１７を形成しており、このエアトラップ１７からエアチューブ１８を介して外槽６内の水位（内槽９内の水位でもある）を検知する水位センサを、前記トップカバー４内に配置している（図示せず）。又、トップカバー４には、洗濯物出入口（これも図示せず）を形成すると共に、この洗濯物出入口を開閉する例えば２つ折りの蓋１９を設けており、更に、このトップカバー４の前部には、上述の洗濯及び脱水等の運転を制御する例えばマイクロコンピュータを主体とする制御装置２０を内設している。
【００２５】
そして、外槽６の底部の後部（図３中右側部）には排水口２１を形成しており、これに、内槽９の中心部から外槽６の底部上に設けた排水路２２が連通すると共に、上記エアトラップ１７が連通している。又、この排水口２１には排水弁２３を接続し、この排水弁２３に排水ホース２４を接続している。この排水ホース２４は、内槽９内から上記排水路２２及び排水弁２３を通じて排出される水を機外に排出するためのもので、全部を１本の、可撓性を有する例えば蛇腹ホースで構成している。
【００２６】
さて、前記台板２は、例えばプラスチックにより、図４及び図５に示すほゞ矩形の、厚みの比較的大きな枠状に形成したもので、その四隅部の下側に前述の脚部１を有している。又、この台板２の、この場合、右側の側部の外側から前部の内側にかけては、上述の排水ホース２４を収納することが可能な排水ホース収納部２５，２６を連続状に形成している。
【００２７】
このうち、側部の排水ホース収納部２５は、排水ホース２４の直径より幅広で、且つ上下方向の深さも排水ホース２４の直径より大きく、図４に示すように、外側が外方（この場合、右外側方）に開放し、内側が共鳴形消音装置の共鳴容器２７の一部を兼ねる構成で、前後の脚部１，１間の部分に形成している。
【００２８】
共鳴形消音装置の共鳴容器２７は、特願平１１−９２１５５号に示したように、λ／４共鳴形消音器の原理に基づいて形成したもので、具体的には図６ないし図８にも示すように、下面が開放する断面ほゞ逆Ｕ字形の空洞箱状を成しており、これを、図４に示す仕切壁２７ａにて仕切った例えばハニカム構造で、主として前側（この場合、前部及び左右の両側部）に多数有している。これらの共鳴容器２７は、前述の脚部１により洗濯機を設置する設置面２８（図６ないし図８参照）との間に僅小な隙間２９をあけるようになっており、上述の側部の排水ホース収納部２５の内側（内側部２５ａ）は、この各共鳴容器２７の共通する外側壁２７ｂを兼ねる構成で形成している。
【００２９】
ここで、λ／４共鳴形消音器の原理につき、図９を参照して説明すると、
Ｌ（共鳴容器Ｘの奥行）＝λ／４・（２ｎ＋１）
ｎ＝０，１，２，３，…
λ（波長）＝１／ｆ（周波数）
のとき、同図に示す音源からの音波が共鳴容器Ｘの空洞内部で反射し、この反射波と入射波とが同図（ｂ）に示すように逆位相の正弦波となり、相互に干渉し打ち消し合うことによって、外部に出る騒音を減少させることができるのである。
【００３０】
本実施例の場合、音源は、外槽６の外下方部に配設したモータ１５など、機構部であり、この機構部から発生した音の音波が、共鳴容器２７部分に至り、隙間２９の通路に面する該共鳴容器２７の開放部分における、入射波と空洞内部からの反射波との干渉により打ち消し合って減音され、隙間２９から外方へ出る騒音を効果的に減少させることができるようになっている。
【００３１】
一方、前部の排水ホース収納部２６は、図５に示すように、ほゞ左右の脚部１，１間の部分で、上方に開放する溝状に形成しており、その幅及び深さともに排水ホース２４の直径より大きく形成している。又、この前部の排水ホース収納部２６の前方には、図７に示す防水パン３０の前部の土手部３０ａに被さる凹部３１を、図４に示すように台板２の全幅にわたって形成しており、前部の排水ホース収納部２６の前側（前側部２６ａ）は、その凹部３１の後壁３１ａを中央部において兼ねている。
【００３２】
又、この前部の排水ホース収納部２６の底部２６ｂは、図７に示すにように、前記共鳴形消音装置の共鳴容器２７の他の一部である上壁２７ｃを兼ねている。更に、この前部の排水ホース収納部２６の開放側の端部である、前側部２６ａの上端部２６ｃと、後側部２６ｄの上端部２６ｅは、いずれも曲面状に形成している。
【００３３】
加えて、台板２の、前記側部の排水ホース収納部２５の上壁部や、防水パン用の凹部３１の上壁部を含む、周囲部には、図４及び図５に示すように、ねじ挿通孔３２を適宜の間隔で多数形成しており、このうち前部のねじ挿通孔３２より後方の、前部の排水ホース収納部２６側には、図５及び図７に示すように、この前部のねじ挿通孔３２の全部に共通のリブ３３を形成している。
【００３４】
ねじ挿通孔３２には、図１０に示すように、台板２と前記外箱３との結合に供するねじ３４を挿通するようになっており、上述のリブ３３は、挿通したそのねじ３４より、高さを大きくしている。又、このリブ３３も、上端部３３ａは曲面状に形成している。
このほか、台板２の周囲部には、外箱３との結合に供する突起３５を適宜の間隔で多数形成しており、更に、その周囲部中の前部と左右の両側部には、同じく外箱３との結合に供する爪３６をそれぞれ１つずつ形成している。
【００３５】
更に、側部の排水ホース収納部２５には、その上壁の外側ほゞ中央部から下方へホース止め部３７を形成している。このホース止め部３７は舌片状を成し、下端部が内方へ湾曲している。又、このホース止め部３７には、図６に示すように、外側面と内側面とにそれぞれリブ３７ａ，３７ｂを形成しており、このうち、外側面のリブ３７ａはホース止め部３７の補強用としてのみ機能するものであるが、内側面のリブ３７ｂは、ホース止め部３７の補強用としてのみ機能すると共に、排水ホース２４の蛇腹の谷部と係合して排水ホース２４をずれを止める固定手段としても機能するようになっている。
【００３６】
ホース止め部３７の基部に隣接させて、台板２には、型抜孔３８を形成しており、この型抜孔３７で抜いた上下割りの型によりホース止め部３７の成形をしている。
【００３７】
更に、前部の排水ホース収納部２６は、図４及び図５に示すように、全体に台板２の前面の曲面形成に合わせて弓なりに形成しており、特に両端部２６ｆ，２６ｇはその曲り角度を大きくして、そのうちの右側の端部２６ｆが、側部の排水ホース収納部２５と斜状につながるようにしている。すなわち、この場合、前部の排水ホース収納部２６の、側部の排水ホース収納部２５とのつながり部を斜状に形成しているのであって、この斜状に形成するのは、それに限られず、側部の排水ホース収納部２５の、前部の排水ホース収納部２６とのつながり部、すなわち、該側部の排水ホース収納部２５の前端部であっても良い。
【００３８】
側部の排水ホース収納部２５と前部の排水ホース収納部２６との境界部には、それらを連通させる連通口３９を形成しており、上述の、側部の排水ホース収納部２５と前部の排水ホース収納部２６との斜状のつながり部である、前部の排水ホース収納部２６の右側の端部２６ｆは、この連通口３９に連なっている。
【００３９】
又、台板２の上記連通口３９の周囲部には、連通口３９を塞ぐキャップ（図示せず）を取付けるためのキャップ取付部である孔（キャップ取付孔）４０を、例えば図１０に示すように、上辺部に２個、下辺部に１個、形成している。更に、連通口３９には、図８に示す傾斜勾配を付しており、これによって連通口３９を上下割りの型で成形している。
【００４０】
そして、側部の排水ホース収納部２５の後端部と台板２の内部との間には、図４及び図１０に示すように、前記排水ホース２４の引き出しに供する排水ホース出口４１を形成しており、この排水ホース出口４１には又、引き出した排水ホース２４を例えば両側より保持するための保持片４２を形成している。
【００４１】
なお、台板２には、図４に示すように、上記側部の排水ホース収納部２５と対称的に、これと同様の凹部４３を形成しており、この凹部４３の後端部と台板２の内部との間にも、前記排水ホース２４の引き出しに供する排水ホース出口４４を形成していて、この排水ホース出口４４にも又、引き出した排水ホース２４を例えば両側より保持するための保持片４５を形成している。
【００４２】
このほか、台板２には、前部の排水ホース収納部２６上の前後部にわたって図１に示す左右２つのホース止め部材４６を例えば爪による係合によって取付けるための取付孔４７を形成している。ホース止め部材４６は、連通口３９側に、前部の排水ホース収納部２６の先端側に向かって漸次下降する、図１１に示す斜面４６ａを有している。
【００４３】
次に、上記構成のものの包装時における排水ホース２４の取り回し形態を述べる。
包装時には、図１及び図２に示すように、排水ホース２４を、ホース出口４１から側部の排水ホース収納部２５に押し出し、次いで、連通孔３９から前部の排水ホース収納部２６に押し込む。
【００４４】
かくして、排水ホース２４を側部の排水ホース収納部２５から前部の排水ホース収納部２６に収納できるもので、これにより、包装体積を小さくでき、包装材料を多く必要とすることがない。よって、包装費用を安くでき、解包後の廃棄物も少なくできるし、輸送費用や保管費用等も安くできる。
又、排水ホース２４はその全部を１本で構成できるから、排水ホース２４自体もコスト安にでき、ひいては洗濯機全体をコスト安にできる。
【００４５】
そして、使用時には、排水ホース２４を逐一接続する必要がなく、更に洗濯機の全体を傾けるまでもなく、排水ホース２４を上記前部の排水ホース収納部２６から取出し、更に側部の排水ホース収納部２５から取出すだけで使用状態にできるから、使用時の手間をかけずに済ませることができる。
【００４６】
なお、図１及び図２には、排水ホース２４を機内で台板２に固定したバンド４８を示している。又、排水ホース２４を側部の排水ホース収納部２５側とは反対の側で使用する場合には、上述の前部の排水ホース収納部２６及び側部の排水ホース収納部２５から取出した排水ホース２４を、排水ホース出口４１から台板２内に一旦引き込み、その上で、反対側の排水ホース出口４４から台板２外に引き出せば良い。
【００４７】
加えて、本構成のものの場合、側部の排水ホース収納部２５と前部の排水ホース収納部２６とが連続することにより、包装時における、その側部の排水ホース収納部２５から前部の排水ホース収納部２６への排水ホース２４の挿通が容易にでき、そのほか、前部の排水ホース収納部２６に収納した排水ホース２４の部分が、機内に位置することにより、外力に対する保護がより確実にできる。
【００４８】
しかも、側部の排水ホース収納部２５は、排水ホース２４の直径より幅広であり、これによって、排水ホース２４が全く機外に突出することがないので、包装体積を一段と小さくでき、包装材料の使用を一段と少なくできる。又、側部の排水ホース収納部２５は、外側が外方に開放しており、これによって、側部の排水ホース収納部２５に対する排水ホース２４の収納が、その側部の排水ホース収納部２５の開放した外側部から容易にできる。更に、側部の排水ホース収納部２５は、内側（内側部２５ａ）が共鳴形消音装置の共鳴容器２７の一部（外側壁２７ｂ）を兼ねる構成で形成しており、これによって、その共鳴容器２７の一部を利用して側部の排水ホース収納部２５の内側部２５ａを構成することができる。
【００４９】
一方、前部の排水ホース収納部２６は、上方に開放する溝状に形成しており、これによって、前部の排水ホース収納部２６に対する排水ホース２４の収納が、その前部の排水ホース収納部２６の開放した上側部から容易にでき、且つ、その前部の排水ホース収納部２６に収納した排水ホース２４の落ち止めが別部材を必要とすることなくできる。
【００５０】
又、上記前部の排水ホース収納部２６の開放側の端部２６ｃ，２６ｅは曲面状に形成し、それと共に、ねじ３４による外箱３との結合に供する台板２のねじ挿通孔３２より前部の排水ホース収納部２６側に、挿通した上記ねじ３４より高さの大きなリブ３３を形成し、このリブ３３の上端部３３ａも曲面状に形成している。
【００５１】
これにより、排水ホース２４の収納時に、前部の排水ホース収納部２６の開放側の端部２６ｃ，２６ｅ、及びリブ３３の上端部３３ａに排水ホース２４が接触することによる、該排水ホース２４の破損を防止することができる。又、リブ３３により、ねじ３４及び外箱３の端部（エッジ）３ａ（図１０参照）に対する排水ホース２４の接触が防止できるから、それらによる排水ホース２４の破損も防止することができる。
【００５２】
更に、前部の排水ホース収納部２６の底部２６ｂは、共鳴形消音装置の共鳴容器２７の一部（上壁２７ｂ）を兼ねる構成で形成しており、これによって、その共鳴容器２７の一部を利用して前部の排水ホース収納部２６の底部２６ｂを構成することができる。
【００５３】
加えて、側部の排水ホース収納部２５と前部の排水ホース収納部２６とのつながり部（上記実施例では、前部の排水ホース収納部２６の端部２６ｆ）は、斜状に形成しており、これによって、側部の排水ホース収納部２５から前部の排水ホース収納部２６への排水ホース２４の挿通を、抵抗少なく行うことができる。
【００５４】
又、側部の排水ホース収納部２５と前部の排水ホース収納部２６とを、上述の斜状のつながり部に連なる連通口３９で連通させており、これによって、側部の排水ホース収納部２５から前部の排水ホース収納部２６への排水ホース２４の挿通を、更に抵抗少なく行うことができる。
【００５５】
更に、台板２には、上記連通口３９を塞ぐキャップを取付けるためのキャップ取付部としてキャップ取付孔４０を形成しており、これによって、排水ホース２４を使用状態にしたときに空く連通口３９を、キャップ取付孔４０で取付けるキャップにより塞いで、機内の運転音が連通口３９から機外に漏れ出ないようにすることができる。
【００５６】
そして、側部の排水ホース収納部２５にはホース止め部３７を設けており、これによって、側部の排水ホース収納部２５に収納した排水ホース２４の弾性によるはみ出しを阻止することができて、包装作業時での排水ホース２４の破損を防止することができると共に、包装作業も、はみ出した排水ホース２４に邪魔されず、容易に行うことができる。
【００５７】
このほか、台板２には取付孔４７を形成していて、これに、ホース止め部材４６を取付けることにより、該ホース止め部材４６を前部の排水ホース収納部２６上の前後部にわたって取付けることができるので、それにより、前部の排水ホース収納部２６に収納した排水ホース２４の弾性によるはみ出しを阻止できて、包装作業時や運送時での、モータ１５など内部機構に対する排水ホース２４の接触を防止でき、該排水ホース２４の破損を防止することができる。しかも、この場合、前部の排水ホース収納部２５の補強も、取付けたホース止め部材４６で効果的にできる。
【００５８】
以上に対して、図１２は本発明の異なる実施例を示すもので、上述の実施例と同一の部分には同一の符号を付して説明を省略し、異なる部分についてのみ述べる。
このものの場合、前述の排水ホース２４に代わって、伸縮により調節した長さに留め置くことの可能な排水ホース５１を使用し、これを、側部の排水ホース収納部２５の長さ以下の長さ（例えば３００〔ｍｍ〕）に調節して、該側部の排水ホース収納部２５にのみ収納する（前部の排水ホース収納部２６には収納しない）ようにしている。
【００５９】
このようにすることによって、使用時には、排水ホース２４を側部の排水ホース収納部２５からだけ取出せば良く、使用時の手間を一層かけずに済ませることができる。
なお、排水ホース５１は、使用時には、前述の筐体５の高さとほゞ同じ長さ（例えば７５０〔ｍｍ〕）に伸長させ得るようになっている。
【００６０】
このほか、本発明は上記し且つ図面に示した実施例にのみ限定されるものではなく、特に、洗濯機全体としては、脱水兼用洗濯機に限られず、洗濯機能を有するだけのものであっても良いなど、要旨を逸脱しない範囲内で適宜変更して実施し得る。
【００６１】
【発明の効果】
本発明は以上説明したとおりのもので、下記の効果を奏する。
請求項１の洗濯機によれば、包装体積を小さくでき、包装材料を多く必要とすることもないから、包装費用を安くできると共に、解包後の廃棄物を少なくでき、輸送費用や保管費用等も安くできる。又、排水ホースの全部を１本で構成できるから、排水ホース自体もコスト安にでき、ひいては洗濯機全体をコスト安にできる。更に、使用時には、排水ホースを逐一接続する必要がなく、更に洗濯機の全体を傾ける必要もなく、排水ホースを使用状態にできるから、使用時の手間をかけずに済ませることができる。そして、そのほか、包装時における、側部の排水ホース収納部から前部の排水ホース収納部への排水ホースの挿通が容易にでき、前部の排水ホース収納部に収納した排水ホースの、外力からの保護も、より確実にできる。加えて、前部の排水ホース収納部に対する排水ホースの収納が容易にでき、且つ、その前部の排水ホース収納部に収納した排水ホースの落ち止めが別部材を必要とすることなくできる。又、排水ホース収納時の、前部の排水ホース収納部の開放側の端部、及びリブの上端部による、該排水ホースの破損を防止することができると共に、台板と外箱との結合に供するねじ、及び外箱の端部による、排水ホースの破損も防止することができる。
【図面の簡単な説明】
【図１】本発明の一実施例を示す、排水ホース収納状態にある台板の上面図
【図２】排水ホース収納状態にある台板の下面図
【図３】洗濯機全体の破断側面図
【図４】台板単体の下面図
【図５】台板単体の上面図
【図６】図５のＡ−Ａ線に沿う側部の排水ホース収納部分の拡大縦断正面図
【図７】図５のＢ−Ｂ線に沿う前部の排水ホース収納部分の拡大縦断側面図
【図８】図５のＣ−Ｃ線に沿う連通口部分の拡大縦断正面図
【図９】共鳴形消音装置の原理説明図（ａ）と音波の波形図（ｂ）
【図１０】台板の側面図
【図１１】図１のＤ−Ｄ線に沿うホース止め部材の拡大縦断正面図
【図１２】本発明の異なる実施例を示す、排水ホース収納状態にある台板の側面図
【符号の説明】
１は脚部、２は台板、３は外箱、９は内槽（洗濯槽）、１６は洗濯機構、２４は排水ホース、２５は側部の排水ホース収納部、２５ａは側部の排水ホース収納部の内側部、２６は前部の排水ホース収納部、２６ｂは前部の排水ホース収納部の底部、２６ｃは前部の排水ホース収納部の前側部の上端部（開放側の端部）、２６ｅは前部の排水ホース収納部の後側部の上端部（開放側の端部）、２６ｆは前部の排水ホース収納部の端部（側部の排水ホース収納部とのつながり部）、２７は共鳴形消音装置の共鳴容器、２７ｂは共鳴容器の外側壁（一部）、２７ｃは共鳴容器の上壁（一部）、３３はリブ、３３ａはリブの上端部、３４はねじ、３７はホース止め部、３９は連通口、４０はキャップ取付孔（キャップ取付部）、４６はホース止め部材、５１は排水ホースを示す。
【図１】
0003732045.tif 000002
【図２】
0003732045.tif 000003
【図３】
0003732045.tif 000004
【図４】
0003732045.tif 000005
【図５】
0003732045.tif 000006
【図６】
0003732045.tif 000007
【図７】
0003732045.tif 000008
【図８】
0003732045.tif 000009
【図９】
0003732045.tif 000010
【図１０】
0003732045.tif 000011
【図１１】
0003732045.tif 000012
【図１２】
0003732045.tif 000013